(57)【要約】【課題】少なくとも２種類の瓦に対応できるようにする。【解決手段】屋根用縦桟１は、横部材７と組み合わされて、屋根の上面に軒先から棟にかけて延びるように取り付けられ、横部材７は、プレート部８が屋根用縦桟１から横方向へ突出する状態で取り付けられる。屋根用縦桟１は、第１の瓦受け部２と、第２の瓦受け部３とを有している。平板瓦をふせる場合には、屋根用縦桟１を第１の瓦受け部２が上向きとなるように配置し、平板瓦は、その一端部を第１の瓦受け部２に受けられるよう配置する。和瓦をふせる場合には、屋根用縦桟１を第２の瓦受け部３が上向きとなるように配置し、和瓦は、その一端部を第２の瓦受け部３に受けられるように配置する。【選択図】  図１
2004225345.tif 000002
【特許請求の範囲】
【請求項１】
長尺状をなし、瓦がふせられる前の屋根の上面に軒先から棟にかけて延びるように取り付けられる屋根用縦桟において、
外面に、第１の瓦の幅方向の一端部を受けるのに適した第１の瓦受け部と、前記第１の瓦とは異なる種類の第２の瓦の幅方向の一端部を受けるのに適した第２の瓦受け部とを有する構成としたことを特徴とする屋根用縦桟。
【請求項２】
長尺状をなし、瓦がふせられる前の屋根の上面に軒先から棟にかけて延びるように取り付けられ、外面に、第１の瓦の幅方向の一端部を受けるのに適した第１の瓦受け部と、前記第１の瓦とは異なる種類の第２の瓦の幅方向の一端部を受けるのに適した第２の瓦受け部とを有する構成の屋根用縦桟と、
この屋根用縦桟に当該屋根用縦桟を支持すると共に当該屋根用縦桟の延び方向に対して交差する方向に突出するように組み付けられる横部材とを備えたことを特徴とする屋根用縦桟装置。
【請求項３】
前記屋根用縦桟は嵌合部を有し、前記横部材は、前記嵌合部に着脱可能に嵌合する被嵌合部を有することを特徴とする請求項２記載の屋根用縦桟装置。
【発明の詳細な説明】
【０００１】
【発明の属する技術分野】
本発明は、長尺状をなし、瓦がふせられる前の屋根の上面に軒先から棟にかけて延びるように取り付けられる屋根用縦桟、及びこの屋根用縦桟を備えた屋根用縦桟装置に関する。
【０００２】
【従来の技術】
従来、屋根の上面に瓦をふせる場合、瓦がふせられる前の屋根の上面に、長尺状をなす合成樹脂製の屋根用縦桟を、軒先から棟にかけて延びるように多数本を平行するように取り付け、瓦の幅方向の一端部を、その屋根用縦桟の瓦受け部に受けさせた状態で瓦をふせるようにすることが行われている。
【０００３】
【発明が解決しようとする課題】
しかしながら、従来の屋根用縦桟では、次のような問題点があった。すなわち、瓦には和瓦と西洋式の平瓦というように複数種類の瓦があるが、従来の屋根用縦桟では、予め設定された種類の瓦にしか対応することができないものであった。
【０００４】
本発明は上記事情に鑑みてなされたものであり、その第１の目的は、少なくとも２種類の瓦に対応することができる屋根用縦桟を提供することにある。また、第２の目的は、同様な目的を達成することができる屋根用縦桟装置を提供することにある。
【０００５】
【課題を解決するための手段】
上記した第１の目的を達成するために、請求項１の発明は、長尺状をなし、瓦がふせられる前の屋根の上面に軒先から棟にかけて延びるように取り付けられる屋根用縦桟において、外面に、第１の瓦の幅方向の一端部を受けるのに適した第１の瓦受け部と、前記第１の瓦とは異なる種類の第２の瓦の幅方向の一端部を受けるのに適した第２の瓦受け部とを有する構成としたことを特徴とする。
【０００６】
上記した構成において、第１の瓦を使用する場合には、屋根用縦桟の第１の瓦受け部に、その第１の瓦の一端部を受けさせる状態で瓦をふせるようにし、第２の瓦を使用する場合には、屋根用縦桟の第２の瓦受け部に、その第２の瓦の一端部を受けさせる状態で瓦をふせるようにする。このようにすることで、屋根用縦桟は、少なくとも第１及び第２の２種類の瓦に対応することができるようになる。
【０００７】
請求項２の発明は、上記した第２の目的を達成するために、長尺状をなし、瓦がふせられる前の屋根の上面に軒先から棟にかけて延びるように取り付けられ、外面に、第１の瓦の幅方向の一端部を受けるのに適した第１の瓦受け部と、前記第１の瓦とは異なる種類の第２の瓦の幅方向の一端部を受けるのに適した第２の瓦受け部とを有する構成の屋根用縦桟と、この屋根用縦桟に当該屋根用縦桟を支持すると共に当該屋根用縦桟の延び方向に対して交差する方向に突出するように組み付けられる横部材とを備えたことを特徴とする屋根用縦桟装置である。
【０００８】
この構成によれば、屋根用縦桟は、第１及び第２の瓦受け部を有しているので、請求項１の発明と同様に、少なくとも２種類の瓦に対応することができるようになる。そして、本屋根用縦桟装置によれば、屋根用縦桟に横部材を組み付けることにより、屋根用縦桟を安定した状態で支持することができる。また、横部材は、屋根用縦桟の延び方向と交差する横方向に突出しているから、屋根の上面を人が歩く際の足場になると共に、荷物のすべり止めにもなる。さらに、横部材を所定の間隔で配置することにより、その横部材は、瓦を割り付ける際の目安にもなる。
【０００９】
請求項３の発明は、上記した請求項２の屋根用縦桟装置において、屋根用縦桟は嵌合部を有し、横部材は、前記嵌合部に着脱可能に嵌合する被嵌合部を有することを特徴とする。
このような手段によれば、横部材は、被嵌合部を屋根用縦桟の嵌合部に嵌合させることで、接着剤などを用いることなく、屋根用縦桟に容易に組み付けることができる。
【００１０】
【発明の実施の形態】
以下、本発明の第１実施例について図１ないし図４を参照して説明する。
本発明の屋根用縦桟１は、合成樹脂の押し出し成形により長尺状に形成されたものである。この屋根用縦桟１は、図１に示すように外面に、ほぼＬ字状をなす上向きの第１の瓦受け部２を有していると共に、この第１の瓦受け部２とほぼ１８０度ずれた部位（図１で左下）にも、ほぼＬ字状をなす下向きの第２の瓦受け部３を有し、また、これら第１の瓦受け部２と第２の瓦受け部３との間のうち、図１の左上部に曲面状の瓦受け面４ａ，４ｂを有し、さらに、第１の瓦受け部２と第２の瓦受け部３との間のうち、図１の右下部にそれぞれ嵌合部を構成する下向きの第１の嵌合溝５と横向きの第２の嵌合溝６とを有した構成となっている。上記した第１及び第２の瓦受け部２，３、瓦受け面４ａ，４ｂ、並びに第１及び第２の嵌合溝５，６は、それぞれ屋根用縦桟１の長手方向に沿って延びている。この場合、この屋根用縦桟１の１本の長さは、約２ｍとなっている。
【００１１】
これに対し、横部材７は、矩形板状をなすプレート部８と、このプレート部８の一辺部の上面側に設けられた被嵌合部を構成する嵌合凸部９とを有していて、この嵌合凸部９が、上記第１の嵌合溝５及び第２の嵌合溝６に着脱可能に嵌合する構成となっている。この場合、この横部材７のプレート部８大きさは、１０Ｃｍ×１０ｃｍの四角形で、厚さが１５ｍｍに設定されている。上記屋根用縦桟１と横部材７とにより、屋根用縦桟装置１０を構成している。
【００１２】
図２は、このような構成の屋根用縦桟装置１０を、瓦をふせる前の屋根の上面を形成する野地板１１の上面に取り付けた一形態を上から見た平面図を示している。この図２において、屋根用縦桟１は、屋根の軒先側（Ａ１）から棟側（Ａ２）にかけて多数本が所定の間隔をおいて平行に配置される。図２では、屋根用縦桟１は、第１の瓦受け部２が上向きとなる状態で配置され、各横部材７は、嵌合凸部９を屋根用縦桟１の第１の嵌合溝５に嵌合させて、プレート部８が屋根用縦桟１の右側方へ突出した状態で、互いに所定の間隔（例えば１ｍ）をおいて配置されている。
【００１３】
図３は、屋根用縦桟装置１０を図２の形態で取り付けた状態において、屋根の上面に、第１の瓦として西洋式の平板瓦１２をふせた状態の縦断正面図が示されている。この状態では、平板瓦１２の幅方向の一端部１２ａが屋根用縦桟１の第１の瓦受け部２に受けられていると共に、他端部１２ｂが隣の屋根用縦桟１の瓦受け面４ａを覆う状態でその瓦受け面４ａにて受けられている。従って、第１の瓦受け部２は、平板瓦１２の一端部１２ａを受けるのに適した形状に形成されていると共に、瓦受け面４ａも、平板瓦１２の他端部１２ｂを受けるのに適した形状に形成されている。そして、各平板瓦１２は、当該平板瓦１２に形成された挿通孔１３及び屋根用縦桟１を貫通させたビス１４により野地板１１に固定されている。
【００１４】
図４は、屋根の上面に、上記した平板瓦１２とは異なる種類の第２の瓦として和瓦１５をふせた状態の縦断正面図が示されている。この状態では、屋根用縦桟１は、第２の瓦受け部３を左上として上向きにした状態で配置され、横部材７は、嵌合凸部９を屋根用縦桟１の第２の嵌合溝６に嵌合させて、プレート部８が屋根用縦桟１の左側方へ突出した状態で、互いに所定の間隔をおいて配置されている。そして、和瓦１５の幅方向の一端部１５ａが屋根用縦桟１の第２の瓦受け部３に受けられていると共に、他端部１５ｂが隣の屋根用縦桟１の瓦受け面４ｂを覆う状態でその瓦受け面４ｂにて受けられている。従って、第２の瓦受け部３は、和瓦１５の一端部１５ａを受けるのに適した形状に形成されていると共に、瓦受け面４ｂも、和瓦１５の他端部１５ｂを受けるのに適した形状に形成されている。そして、各和瓦１５は、当該和瓦１５に形成された挿通孔１６を貫通させたビス１７により野地板１１に固定されている。なお、図４の状態では、屋根用縦桟１の第１の瓦受け部２は、右下に位置して下向きとなっている。
【００１５】
なお、上記した実施例において、屋根用縦桟装置１０を屋根の上面に配置する際に、まず、横部材７を先に野地板１１上に釘などで固定した状態で、屋根用縦桟１の第１の嵌合溝５または第２の嵌合溝６を各横部材７の嵌合凸部９に嵌合させても良いし、或いは、屋根用縦桟１の第１の嵌合溝５または第２の嵌合溝６に各横部材７の嵌合凸部９を嵌合させておき、これら屋根用縦桟１と横部材７とを同時に野地板１１上に置いて釘などにより野地板１１に固定するようにしても良い。
【００１６】
上記した実施例においては、次のような効果を得ることができる。
まず、屋根用縦桟１は、第１の瓦受け部２と第２の瓦受け部３とを有しているので、平板瓦１２を使用する場合には、第１の瓦受け部２に、その平板瓦１２の一端部１２ａを受けさせる状態で瓦をふせるようにし、和瓦１５を使用する場合には、第２の瓦受け部３に、その和１５瓦の一端部１５ａを受けさせる状態で瓦をふせるようにする。このようにすることで、屋根用縦桟１は、少なくとも２種類の瓦に対応することができるようになる。
【００１７】
上記屋根用縦桟１に横部材７を組み付けることで、屋根用縦桟１を安定した状態で支持することができる。しかも、横部材７は、プレート部８が屋根用縦桟１の延び方向と交差する横方向に突出しているから、そのプレート部８が、屋根の上面を人が歩く際の足場になると共に、荷物のすべり止めにもなる。さらに、横部材７を所定の間隔で配置することにより、その横部材７は、瓦を割り付ける際の目安にもなる。
【００１８】
また、横部材７は、嵌合凸部９を屋根用縦桟１の第１または第２の嵌合溝５，６に嵌合させることで、接着剤などを用いることなく、屋根用縦桟１に容易に組み付けることができる。
【００１９】
図５は本発明の第２実施例を示したものであり、この第２実施例は、上記した第１実施例とは次の点が異なっている。すなわち、屋根用縦桟１に組み付けられる横部材２０のプレート部２１には、下面側に、下面が開口した凹部２２が複数形成されていると共に各凹部２２間に凸部２３が形成され、両端部に下面側が開口したスリット２４が形成されている。また、プレート部２１の上面部には、凹部２２よりも幅の狭い溝部２５が複数形成されていると共に、各凸部２３に対応する部位に上面が開口したスリット２６が形成されている。このような構成の横部材２０は、第１実施例の横部材７に比べて軽量化することができる。
【００２０】
本発明は、上記した各実施例にのみ限定されるものではなく、次のように変形または拡張できる。
屋根用縦桟１の第１、第２の嵌合溝５，６と、これと嵌合する横部材７，２０の嵌合凸部９との間に接着剤を塗布するようにしても良い。また、嵌合溝を横部材７，２０に設けると共に、その嵌合溝に嵌合する嵌合凸部を屋根用縦桟１に設けることもできる。
屋根用縦桟１と横部材７，２０とを組み付ける際に、嵌合溝と嵌合凸部との嵌合に代えて、両面接着テープで両者を接着する構成とすることもできる。
【００２１】
【発明の効果】
請求項１の屋根用縦桟によれば、少なくとも２種類の瓦に対応することができる。
請求項２の屋根用縦桟装置によれば、少なくとも２種類の瓦に対応することができ、また、横部材を組み合わせることで、屋根用縦桟を安定した状態で支持することができる。さらに、横部材は、屋根の上面を人が歩く際の足場になると共に、荷物のすべり止めにもなり、さらに、瓦を割り付ける際の目安にもなる。
【図面の簡単な説明】
【図１】本発明の一実施例を示す屋根用縦桟装置の分解斜視図
【図２】屋根用縦桟装置を屋根の上面に配置した状態での平面図
【図３】平板瓦をふせた状態での縦断正面図
【図４】和瓦をふせた状態での縦断正面図
【図５】本発明の第２実施例を示す横部材単体の斜視図
【符号の説明】
１は屋根用縦桟、２は第１の瓦受け部、３は第２の瓦受け部、５は第１の嵌合溝（嵌合部）、６は第２の嵌合溝（嵌合部）、７は横部材、９は嵌合凸部（被嵌合部）、１０は屋根用縦桟装置、１１は野地板（屋根の上面）、１２は平板瓦（第１の瓦）、１２ａは一端部、１５は和瓦（第２の瓦）、１５ａは一端部、２０は横部材を示す。
【図１】
2004225345.tif 000003
【図２】
2004225345.tif 000004
【図３】
2004225345.tif 000005
【図４】
2004225345.tif 000006
【図５】
2004225345.tif 000007